(57)【要約】【課題】前掛本体に腰部装着部材を容易に取り付けることができるとともに、多様な体型に対応することができる前掛けを提供する。【解決手段】前掛け１０は、着用者の前面を覆うためのシート状の前掛本体１１の腰周り対応部に横方向に延びる筒状部１１１が設けられているとともに、その筒状部１１１に抜き差し可能に可撓性の帯状の腰部装着部材１６が挿通され、且つ腰部装着部材１６が非伸縮部分１６１と伸縮部分１６２とを有する。【選択図】図１
0003234887.tif 000002
【実用新案登録請求の範囲】
【請求項１】
着用者の前面を覆うためのシート状の前掛本体の腰周り対応部に横方向に延びる筒状部が設けられているとともに、前記筒状部に抜き差し可能に可撓性の帯状の腰部装着部材が挿通され、且つ前記腰部装着部材が非伸縮部分と伸縮部分とを有することを特徴とする前掛け。
【考案の詳細な説明】
【技術分野】
【０００１】
本考案は、前掛けに関する。
【背景技術】
【０００２】
前掛けでは、シート状の前掛本体の腰周り対応部に腰部装着部材が取り付けられている。特許文献１には、前掛本体の腰周り対応部に筒状部が設けられ、その筒状部にＣ字状に形成された樹脂製の腰部装着部材が挿通されて取り付けられた前掛けが開示されている。
【先行技術文献】
【特許文献】
【０００３】
【特許文献１】実用新案登録第３０９７４８５号公報
【考案の概要】
【考案が解決しようとする課題】
【０００４】
特許文献１に記載された前掛けでは、その製造時に、前掛本体の筒状部に、剛性の高いＣ字状の腰部装着部材を挿通させる必要があり、その取付作業性が悪いという問題がある。
【０００５】
本考案の課題は、前掛本体に腰部装着部材を容易に取り付けることができるとともに、多様な体型に対応することができる前掛けを提供することである。
【課題を解決するための手段】
【０００６】
本考案は、着用者の前面を覆うためのシート状の前掛本体の腰周り対応部に横方向に延びる筒状部が設けられているとともに、前記筒状部に抜き差し可能に可撓性の帯状の腰部装着部材が挿通され、且つ前記腰部装着部材が非伸縮部分と伸縮部分とを有することを特徴とする前掛けである。
【考案の効果】
【０００７】
本考案によれば、腰部装着部材が可撓性で帯状のものであるので、前掛本体の筒状部に挿通させることにより、前掛本体に腰部装着部材を容易に取り付けることができ、また、腰部装着部材が非伸縮部分と伸縮部分とを有するので、伸縮部分の伸びを調節することにより、多様な体型に対応することができる。
【図面の簡単な説明】
【０００８】
【図１】実施形態に係る前掛けの正面図である。
【図２】図１におけるII-II断面の拡大図である。
【図３】図１におけるIII-III断面の拡大図である。
【考案を実施するための形態】
【０００９】
以下、実施形態について図面に基づいて詳細に説明する。
【００１０】
図１乃至３は、実施形態に係る前掛け１０を示す。
【００１１】
実施形態に係る前掛け１０は、シート状の前掛本体１１を備える。前掛本体１１は、横長矩形状の例えば塩化ビニル等の樹脂シートで構成されている。前掛本体１１には、その上端部分が裏側に折り返されるとともに、その縁部が溶接されて形成された横方向に延びる筒状部１１１が設けられている。この筒状部１１１は、前掛本体１１の上端部分を裏側に折り返した部分の縁部をウェルダ加工で溶接するという簡単な加工で形成することができる。
【００１２】
前掛本体１１の前側には、筒状部１１１の下側に、前掛本体１１と同じ樹脂シートの縁部が横方向に沿ってウェルダ加工で溶接されている。樹脂シートは、その溶接部から下方に垂下した後に折り返されて溶接部まで延びており、それを横方向に三分割するように、横方向の両縁部及び中間部の２箇所の計４箇所のそれぞれにおいて、上下方向にウェルダ加工で前掛本体１１と溶接されている。なお、４箇所の上下方向の溶接部のそれぞれの上端には、補強用のリベット１２が設けられている。これにより、左側の縁部の溶接部とそれに隣接する中間部の溶接部との間及び右側の縁部の溶接部とそれに隣接する中間部の溶接部との間のそれぞれには、上方に開口した左側及び右側の深底ポケット１３１，１３２が形成されている。また、樹脂シートは、左側及び右側の深底ポケット１３１，１３２の間の部分が２箇所の中間部の溶接部間を横方向に繋ぐようにウェルダ加工で前掛本体１１と溶接されるとともに、その溶接部よりも下側の部分が切除されている。これにより、２箇所の中間部の溶接部間には、上方に開口した浅底ポケット１４が形成されている。
【００１３】
前掛本体１１及び左側の深底ポケット１３１の左側の縁部、前掛本体１１の下側の縁部、並びに前掛本体１１及び右側の深底ポケット１３２の右側の縁部には、パイピング１５１が施されている。また、左側の深底ポケット１３１、浅底ポケット１４、及び右側の深底ポケット１３２の開口の縁部にも、パイピング１５２が施されている。
【００１４】
前掛本体１１の筒状部１１１には、可撓性の帯状の腰部装着部材１６が抜き差し可能に挿通されている。腰部装着部材１６は、前掛本体１１の筒状部１１１に貫通状態に設けられた非伸縮部分１６１と、その右側の端部に結合した伸縮部分１６２とを有する。非伸縮部分１６１は、例えば幅広織布で構成されている。伸縮部分１６２は、例えば幅広ゴムで構成されている。非伸縮部分１６１の左側の端部には、フロントリリースバックル１７のプラグ１７１が取り付けられている。伸縮部分１６２の右側の端部には、フロントリリースバックル１７のソケット１７２が取り付けられている。
【００１５】
実施形態に係る前掛け１０は、前掛本体１１を着用者の下半身の前面を覆うように設け、腰部装着部材１６を腰部に回し、背面でフロントリリースバックル１７のプラグ１７１をソケット１７２に嵌合させることにより装着することができる。
【００１６】
以上の構成の実施形態に係る前掛け１０によれば、腰部装着部材１６が可撓性で帯状のものであるので、前掛本体１１の筒状部１１１に挿通させることにより、前掛本体１１に腰部装着部材１６を容易に取り付けることができる。また、腰部装着部材１６が非伸縮部分１６１と伸縮部分１６２とを有するので、伸縮部分１６２の伸びを調節することにより、多様な体型に対応することができる。
【００１７】
さらに、前掛本体１１の筒状部１１１に腰部装着部材１６が抜き差し可能に挿通されているので、仮に前掛本体１１が破損等して使用できなくなったとしても、前掛本体１１だけを交換して腰部装着部材１６を再利用することができる。加えて、同様の構成の前掛本体１１が複数あれば、それらに対して一つの腰部装着部材１６を使い回しすることができる。
【００１８】
なお、上記実施形態では、着用者の下半身の前面を覆うように設ける前掛け１０としたが、特にこれに限定されるものではなく、着用者の胸部乃至脚部の前面を覆うように設けるものであってもよい。
【００１９】
また、上記実施形態では、腰部装着部材１６が、非伸縮部分１６１の右側の端部に伸縮部分１６２が結合した構成としたが、特にこれに限定されるものではなく、非伸縮部分の左側の端部に伸縮部分が結合した構成であってもよく、一対の非伸縮部分の間に伸縮部分が設けられた構成であってもよい。
【００２０】
また、上記実施形態では、腰部装着部材１６の非伸縮部分１６１が伸縮部分１６２よりも長い構成としたが、特にこれに限定されるものではなく、非伸縮部分が伸縮部分と同じ長さの構成であってもよく、非伸縮部分が伸縮部分よりも短い構成であってもよい。
【符号の説明】
【００２１】
１０  前掛け
１１  前掛本体
１１１  筒状部
１２  リベット
１３１，１３２  深底ポケット
１４  浅底ポケット
１５１，１５２  パイピング
１６  腰部装着部材
１６１  非伸縮部分
１６２  伸縮部分
１７  フロントリリースバックル
１７１  プラグ
１７２  ソケット
【図１】
0003234887.tif 000003
【図２】
0003234887.tif 000004
【図３】
0003234887.tif 000005